(57)【要約】【課題】本考案は棒状もぐさを使用した灸施術に際し、強弱２種類の熱刺激を選択することにより、灸による補瀉手法等を容易ならしめ、かつ、視覚障害者が安全、簡単に使用出来る棒状もぐさ施灸補助具を提供すること。【解決手段】縦向きの上下端が開放した円筒形の部、即ち、ガード（３）のやや上端寄りに棒状もぐさ（６）が貫通できる大きさの孔があり、そこに横向きの、細長い半円筒形の部、即ち、もぐさガイド（１）の一端がガード（３）の貫通孔の中心と、もぐさガイド（１）の断面を含む仮想円の中心を一致させたように接続した形を一体として形成している。あわせてガード（３）の内面において、もぐさガイド（１）の延長上には、棒状もぐさ（６）の燃焼部をガード（３）の中央に位置させる為の、もぐさどめ（２）を有する棒状もぐさ施灸補助具を以って解決する。【選択図】図１
2004121776.tif 000002
【特許請求の範囲】
【請求項１】
縦向きの、ほぼ円筒形の、上下両端が開放した形状の、やや上端寄りに、棒状もぐさが貫通するのに必要充分な大きさの貫通孔を有する形状の、棒状もぐさが燃焼するのに必要充分な適宜内径を有する形状の、棒状もぐさを装着した時、その燃焼部、即ち、熱源からの熱が皮膚面に程よく到達することが出来る適宜高さをもつ形状の、棒状もぐさ装着後はその燃焼部、即ち、熱源を側面から覆うように形成された形状の部、即ち、ガードと、横向きの、やや細長い適宜長の、ほぼ半円筒形の、左右両端が開放した形状の、内面は棒状もぐさを装着した時に棒状もぐさが半分程度隠れる必要充分な大きさの溝を形成した形状の部、即ち、もぐさガイドの、一方端とが、貫通孔の部にて、貫通孔の中心と、もぐさガイドの該一方端の半円を含む仮想円の中心が一致するような形状で接続し、且つ、円筒部、即ち、ガードの上下両端円の中心を貫く線と、半円筒状の部、即ち、もぐさガイドの半円筒を含む仮想円筒の左右両端円の中心を貫く線の延長線とが約９０度の角度で、ほぼ交わる形状で接続し、且つ、もぐさガイドの半円筒断面を含む半円の弦が縦になる形状で接続したような形状を、一体となって形成し、あわせて、該円筒部、即ち、ガードの内面に、上記もぐさガイドの延長上において、棒状もぐさを装着した時に棒状もぐさの燃焼部がガードのほぼ中央に位置するように形成された適宜長を持つ突出部、即ちもぐさどめを形成していることを特徴とする棒状もぐさ施灸補助具。
【発明の詳細な説明】
【０００１】
【発明の属する技術分野】この発明は、灸技術の内、棒状もぐさ使用の温灸施術、および、視覚障害者にあっても棒状もぐさを使用した灸施術を容易に行なう技術に関する。
【０００２】
【従来の技術】従来の棒状もぐさを使った灸技術は少ないが、指圧効果と温熱効果を合わせて期待するものがある。（特許公開平１０−３１４２７０参照）。
【０００３】また、視覚障害者の灸施術の為の考案、発明はいずれも棒状もぐさを使用したものではない。（特許公開２００１−９５８９５、特許公開平９−１１７４８７、特許公開平９−３８１７２参照）。
【０００４】また、補助具を使わないで棒状もぐさを使用するには例えば次のように行なう方法がある。皮膚上に何も置かないで、またはニンニク、しょうが、塩、味噌、びわの葉等の適当量を施灸部に置き、または塩水、水に浸したガーゼを置き、その上から燃焼させた棒状もぐさを近づけ熱を加える事により灸の効果を期待する方法である。
【０００５】
【発明が解決しようとする課題】しかしながら、以上の従来技術によれば、東洋医学の重要な概念である虚実、補瀉への配慮の欠如しているものが殆どである。また、従来の視覚障害者の灸施術に着目したものの中には棒状もぐさを使用したものはない。また、従来の補助具を使わないで棒状もぐさを使用して灸施術を行なう方法を視覚障害者がとった時には被施術者に火傷を負わせる危険が高く、自らも火傷を被る可能性も高い。晴眼者にあっても当該施灸法を用いる際には相当な注意を払わないと火傷の危険はある。このような方法を視覚障害者が行なうには相当の熟練を要する。そこで、この発明は、棒状もぐさ使用による灸施術に際し、強弱２種類の熱量を選択することによって灸による補瀉手法を容易ならしめ、かつ、灸施術の応用範囲を広げ、視覚障害者にあっても簡単に使用出来る棒状もぐさ施灸補助具を提供することを課題とする。
【０００６】
【課題を解決するための手段】以上の課題を解決するために、請求項１の発明は、縦向きの、ほぼ円筒形の、上下両端が開放した形状の、やや上端寄りに、棒状もぐさが貫通するのに必要充分な大きさの貫通孔を有する形状の、棒状もぐさが燃焼するのに必要充分な適宜内径を有する形状の、棒状もぐさを装着した時、その燃焼部、即ち、熱源からの熱が皮膚面に程よく到達することが出来る適宜高さをもつ形状の、棒状もぐさ装着後はその燃焼部、即ち、熱源を側面から覆うように形成された形状の部、即ち、ガードと、横向きの、やや細長い適宜長の、ほぼ半円筒形の、左右両端が開放した形状の、内面は棒状もぐさを装着した時に棒状もぐさが半分程度隠れる必要充分な大きさの溝を形成した形状の部、即ち、もぐさガイドの、一方端とが、貫通孔の部にて、貫通孔の中心と、もぐさガイドの該一方端の半円を含む仮想円の中心が一致するような形状で接続し、且つ、円筒部、即ち、ガードの上下両端円の中心を貫く線と、半円筒状の部、即ち、もぐさガイドの半円筒を含む仮想円筒の左右両端円の中心を貫く線の延長線とが約９０度の角度で、ほぼ交わる形状で接続し、且つ、もぐさガイドの半円筒断面を含む半円の弦が縦になる形状で接続したような形状を、一体となって形成し、あわせて、該円筒部、即ち、ガードの内面に、上記もぐさガイドの延長上において、棒状もぐさを装着した時に棒状もぐさの燃焼部がガードのほぼ中央に位置するように形成された適宜長を持つ突出部、即ちもぐさどめを形成していることを特徴とする棒状もぐさ施灸補助具。
【０００７】
【作用】このような形状を有することはガードの上下端を使うことで灸施術の際に強弱、２種類の熱刺激を容易に選択することが可能となる。あわせて本補助具を通常な形で保持した時には右親指にて前後にスライドさせることにより多壮灸ができる。あわせて、熱源が直接患者、術者、その他のものに触れにくくしている。あわせて、視覚障害者が棒状もぐさを容易に装着できる。あわせて、施灸の際、棒状もぐさともぐさガイドを同時につかめる。あわせて毛髪部への施術の際にはガードの下端またはガードの上端にて毛髪を抑えながらの施術が可能である。
【０００８】虚実については「経絡治療要綱」福島弘道著を、灸の補瀉については「鍼灸の科学実技編」柳谷素霊著を参照の事。
【０００９】
【実施例】棒状もぐさ施灸補助具の実施例につき図面上にある記号ならびに名称を用いながら述べることにする。最初に、棒状もぐさ（６）の装着について述べると、まず、先端を燃焼させた棒状もぐさ（６）、例えば練りもぐさ（商品名）のような灰の少ないタイプの棒状もぐさ（６）の燃焼部をもぐさガイド（１）の内面に沿って滑らせるようにガード（３）の内面において、もぐさどめ（２）に当るまで進める。この作業により棒状もぐさ（６）の燃焼部、即ち、熱源（７）はガード（３）の中央部に位置することができる。この作業により熱源（７）はガード（３）によって周囲を囲まれた状態とする事ができる。この一連の作業においてもぐさガイド（１）およびもぐさどめ（２）及びガード（３）はともに視覚障害者が棒状もぐさ（６）を使用した施灸をする上で有効に働いている。
【００１０】本補助具の通常の保持のしかたについて述べると棒状もぐさ（６）を装着した本補助具のもぐさガイド（１）ともぐさガイド（１）からはみ出た棒状もぐさ（６）を同時に保持する。このことは棒状もぐさ（６）に接した指等によってスライドさせ、熱源（７）の位置の調整を可能とすると共に、施術者が火のついた棒状もぐさに常に接触し得る結果となり、施術者に安心感を与え、灸施術に集中することができる。視覚障害者にとって上記の事柄は想像以上に重要である。
【００１１】本補助具を使用しての基本的施灸法について述べると、火をつけた棒状もぐさ（６）を装着した本補助具を通常の形で保持し、ガード下端（５）を施灸部に近づけ或いは接触させ、または本補助具を上下反転させ、ガード上端（４）を施灸部に近づけ或いは接触させることにより、熱源（７）からの輻射熱を利用し温灸効果を実現させる事ができる。また、ニンニク、しょうが、塩、味噌、びわの葉、塩水に漬したガーゼ等隔物を施灸部に置き、その上から本補助具を上記の方法により近づけあるいは接触させることにより隔物灸への使用も可能である。
【００１２】視覚障害者の本補助具の使用について述べると、本補助具は、もともと、視覚障害者が安全に簡単に施灸をする必要からはじまったものである。ひとつにはもぐさガイド（１）の内面を半円筒形の溝にして、その内面の任意の位置に接触させた火のついた棒状もぐさ（６）をそのまま前方にすべらせることにより棒状もぐさ（６）の装着を簡単にした。二つにはもぐさどめ（２）を存在させることにより棒状もぐさ（６）の先頭部分即ち熱源（７）の位置を正確に定めることができるようにした。３つには棒状もぐさ（６）を装着した本補助具のもぐさガイド（１）ともぐさガイド（１）からはみ出た棒状もぐさ（６）を同時に保持し得るので視覚障害者が火のついた棒状もぐさ（６）に常に接触し得る結果となり、視覚障害者に安心感を与え、灸施術に集中することができる。４つには棒状もぐさ（６）を正確に装着したときにはその熱源（７）の周囲をガード（３）が側面全体から覆うことになり、このことは本補助具を視覚障害者が使用する際にその安全面に有効に働く。視覚障害者にとって安全な本補助具は晴眼者にとってはより安全なことは当然のことである。
【００１３】本補助具による補瀉調整について述べると、本補助具はもぐさガイド（１）の側面から横方向に棒状もぐさ（６）をもぐさガイド（１）に沿って挿入する形状となっているのでガード下端（５）及びガード上端（４）双方からの施灸が可能となっている。即ち、熱源（７）からガード下端（５）またはガード上端（４）までの距離に差を設けることにより強弱２種類の熱量を容易に選択することができる。即ち施灸に際し、ガード下端（５）を皮膚面に近づけ或いは接触する時は、やや弱い熱を緩やかに加えることが可能であり、これは灸による補瀉を行なう際の補法を可能ならしめる。また、本補助具を上下反転させ、ガード上端（４）を皮膚面に近づけ或いは接触する時はやや強い熱を急激に加える事ができ、これは灸による補瀉を行なう際の瀉法を可能ならしめる。補法と瀉法は多くの場合補瀉合わせて一体の施術として行なわれるものであり、本補助具の使用により棒状もぐさ（６）による補瀉手法を容易に実現した。東洋医学における治療の基本は虚実に対する補瀉であり、灸施術においてはやわらかい熱を緩やかに加えることにより補法が可能となり、やや強い熱を急激に加えることにより瀉法が可能となる。身体各部において左右、または上下のような対照部位における虚実を見極めこれを調整することは重要であり、その方法として虚に対しては補法を、実に対しては瀉法をほどこすことになる。また、少ない回数は補法となり、多い回数は瀉法となることから、装着した棒状もぐさ（６）を指でスライドさせることにより多壮灸を容易に実現できる。
【００１４】次に、一例として腰部左右における虚実に対する施灸法を述べると、まず、火のついている棒状もぐさ（６）を装着した本補助具の下端を虚したる側に近づけ或いは接触させる。被施術者は快い熱感を覚えるものである。この時点で本補助具を取り除くことにより殆どの場合補法となる。脉状を観察できる者はその変化を診ながら施灸すればより確実である。本補助具による補法処理後の所見が良好な状態になったのを観察し、次に、虚したる側の反対側を観察し、実所見が無くなっているならば瀉法は行なわなくてもよいが、まだ実所見がある時には本補助具を上下反転しガード上端（４）を被施術者の施灸部に近づけ或いは接触させる場合、やや強い熱感が急激にくわわる。患者が熱いと訴えたら直ちに取り除く必要がある。これによって灸による瀉法が行なわれたことになる。脉状の変化を確認しながらおこなえばより確実である。多くの場合このような補瀉の手法により腰部左右虚実は整う方向に向かうものである。
【００１５】その他の施術応用について述べると、ひとつには熱源（７）が周りから触れ難い形状をしているので灸施術に際し衣服の下での施術、或いはタオルケットなどで施術部位を覆ったままでの施術する。このことは肛門周囲など施術困難な部への灸施術に際し患者の同意を得やすくする。ひとつには頭部の灸施術の際にはガード下端（５）またはガード上端（４）にて毛髪を抑えながら施灸する。ひとつにはあらゆる角度での灸施術が可能である。ひとつには隔物灸の熱源（７）として利用する。ひとつには棒状もぐさ（６）をもぐさガイド（１）のなかをスライドさせることによって多壮灸をする。
【００１６】
「他の実施形態」本補助具ではもぐさどめはガード（３）側面を内側に横扁平形に陥没させて形成してあるが、縦扁平形あるいは円錐形でも良い。また、本補助具では石粉粘土を素材としているが、不燃性であれば他の材料でも良い。
【００１７】
【発明の効果】以上説明したように、この発明によれば、東洋医学における重要な概念である虚実に対する補瀉施術を本補助具によって簡便に行なうことが出来る。即ち、通常位置にて使用する場合は弱い熱を徐々に加える事が出来る。また、上下を反転させれば強い熱を急激に加える事ができる。このことは灸の補瀉手法を簡便に行う事が可能であることを示す。この点において本補助具を用いて灸施術を行なうのに効果がある。
【００１８】本補助具は強弱２種類の熱を選択することが出来るので患者の感受性の程度によってその強弱を使い別けることが出来る。この点において本補助具を用いて灸施術を行なうのに効果がある。
【００１９】本補助具は熱源（７）が周りから触れにくい形状をしているので衣服の下またはタオルケット等で施灸部を覆ったままでの施術が可能である。このことは肛門周囲など施術困難部位に施灸をする際にその部を露出することなく灸施術が出来るので、患者の納得を得やすい。この点において本補助具を用いて灸施術を行なうのに効果がある。
【００２０】本補助具を使用して頭部など毛髪ある部位に施灸をする際にはガード下端（５）またはガード上端（４）にて毛髪を抑えながら施灸することが出来る。この点において本補助具を用いて灸施術を行なうのに効果がある。
【００２１】本補助具はあらゆる角度での施術が可能である。この点において本補助具を用いて灸施術を行なうのに効果がある。
【００２２】施灸部位にニンニク、しょうが、塩、味噌、びわの葉または塩水に漬したガーゼなどを置き、その上部より本補助具を熱源（７）として利用することにより従来より簡便に隔物灸を行なうことができる。この点において本補助具を用いて灸施術を行なうのに効果がある。
【００２３】本補助具に装着した棒状もぐさをスライドさせることにより多壮灸が出来る．この点において本補助具を用いて灸施術を行なうのに効果がある。
【００２４】本補助具に棒状もぐさ（６）を装着する際にはもぐさガイド（１）の内面の溝の任意の位置に接触させた火のついた棒状もぐさ（６）をそのまま前方にすべらせることにより棒状もぐさの装着を簡単にした。この点において視覚障害者が本補助具を使用する時に効果がある。
【００２５】ガード（３）の内面においてもぐさガイド（１）の延長上にもぐさどめ（２）を存在させることにより棒状もぐさ（６）の先頭部分即ち熱源（７）の位置を正確に定めることができる。この点において視覚障害者が本補助具を使用する時に効果がある。
【００２６】棒状もぐさを装着した本補助具のもぐさガイド（１）と該もぐさガイド（１）からはみ出た棒状もぐさ（６）を同時に保持し得るので施術者が火のついた棒状もぐさ（６）に常に接触し得る結果となり、視覚障害者に安心感を与え、灸施術に集中することができる。この点において視覚障害者が本補助具を使用する時に効果がある。
【００２７】棒状もぐさ（６）を正確に装着したときにはガード（３）が熱源（７）の側面全体を覆う。このことは火傷に対する安全性を高める。この点において視覚障害者が本補助具を使用する時に効果がある。
【００２８】視覚障害者にとって安全な本補助具は晴眼者にとってはより安全なことは当然のことである。この点において視覚障害ない者が本補助具を使用する時に効果がある
【図面の簡単な説明】
【図１】「本発明の棒状もぐさ施灸補助具の使用形態を示した概略図である。」
【図２】「本発明の棒状もぐさ施灸補助具の外観を示した斜視図である。」
【図３】「本発明の棒状もぐさ施灸補助具の側面外観を示した側面図である。」
【図４】「本発明の棒状もぐさ施灸補助具の平面外観を示した平面図である。」
【図５】「本発明の棒状もぐさ施灸補助具の正面外観を示した正面図である。」
【符号の説明】
１　もぐさガイド
２　もぐさどめ
３　ガード
４　ガード上端
５　ガード下端
６　棒状もぐさ
７　熱源
【図１】
2004121776.tif 000003
【図２】
2004121776.tif 000004
【図３】
2004121776.tif 000005
【図４】
2004121776.tif 000006
【図５】
2004121776.tif 000007